(57)【特許請求の範囲】
【請求項１】
モニタースクリーンに表示された画像情報を保存する装置であって、
前記モニタースクリーンの表面の部分区域にのみ延在する感光性材料の保存媒体と、
前記モニタースクリーン上に前記保存媒体を貼付するための粘着層と、
前記保存媒体と前記粘着層との間に配置されている少なくとも１つのレンズと、
を含むことを特徴とする装置。
【請求項２】
前記保存媒体、前記粘着層、及び前記レンズが、平坦形状に形成されることを特徴とする請求項１記載の装置。
【請求項３】
前記保存媒体、前記粘着層、及び前記レンズは、円形であることを特徴とする請求項２記載の装置。
【請求項４】
前記保存媒体、前記粘着層、及び前記レンズは、透明であることを特徴とする請求項１又は２記載の装置。
【請求項５】
前記粘着層は、のり付き層として形成され、又はのり付き層なしで使用の前に除去可能保護フィルムによって覆われ、又は前記のり付き層として形成されて使用の前に除去可能保護フィルムによって覆われることを特徴とする請求項１乃至２又は４記載の装置。
【請求項６】
化学物質が、保存された像の現像のために一体化されていることを特徴とする請求項１乃至２及び４乃至５のいずれか１記載の装置。
【請求項７】
前記保存媒体に保存された前記画像情報を、前記粘着層から離れた前記保存媒体側で、又は前記粘着層に面した側で、又はその両方の側で、露出後に見ることができることを特徴とする請求項１乃至２及び４乃至６のいずれか１記載の装置。
【請求項８】
前記保存媒体は、所定の光波長に答える周波数感度で形成されることを特徴とする請求項１乃至２及び４乃至７のいずれか１記載の装置。
【請求項９】
前記レンズがフレネルレンズであることを特徴とする請求項請求項１乃至２及び４乃至８のいずれか１記載の装置。
【請求項１０】
前記レンズには、保存されるべき画像情報を像として前記保存媒体上に作るよう形成された焦点レンズ、又は、前記モニタースクリーンの上にコード化された形態で示された前記画像情報を、前記保存媒体の上に復号された形態で像として形成する復号レンズ、または前記焦点レンズ及び前記復号レンズの両方が含まれることを特徴とする請求項請求項１乃至２乃至９のいずれか１記載の装置。
【請求項１１】
前記感光性材料は、フォトクロミック物質からなり、紫外線光及び可視光に感応して、紫外線光照射によって特定の色に彩色し、可視光照射によって透明になり、又は前記感光性材料は、彩色画像情報を保存するように設計され、異なった波長の光に感応する複数のフォトクロミック物質を含み、又は前記感光性材料は、前記フォトクロミック物質からなり、紫外線光及び可視光に感応して、紫外線光照射によって特定の色に彩色し、下記光照射によって透明になり、かつ、彩色画像情報を保存するように設計され、異なった波長の光に感応する複数のフォトクロミック物質を含む、ことを特徴とする請求項１乃至２及び４乃至10のいずれか１記載の装置。
【請求項１２】
前記モニタースクリーンによって照射された光を反射し前記保存媒体へ戻す層、又は可視光を吸収し紫外線光に透明である層、又は前記モニタースクリーンによって照射された光を反射し前記保存媒体へ戻す層及び可視光を吸収し紫外線光に透明である層の両方が、前記粘着層から離れた前記保存媒体の側に設けられていることを特徴とする請求項１乃至２及び４乃至11のいずれか１記載の装置。
【請求項１３】
少なくとも１フィルターが前記保存媒体と前記粘着層との間に設けられていることを特徴とする請求項１乃至２及び４乃至12のいずれか１記載の装置。
【請求項１４】
前記フィルターが灰色フィルターであることを特徴とする請求項13記載の装置。
【発明の詳細な説明】
本発明は、テレビスクリーン、コンピュータモニターなどのモニタースクリーンの上に示された画像情報を保存する装置に関する。
習慣的なテレビ番組を受信する時、視聴者はもっぱら受動的な消費者の役割を引き受けている。消費者は決して積極的には参加するように要求されないので、テレビの夕べが面白くなくて、そしてどんな特定のハイライトも無い場合がしばしばである。
これは、一方では、テレビ会社がそのテレビ番組の魅力の欠如のため、望ましい視聴者定数を成し遂げていないことを示し、他方、彼らは特定の番組を見た視聴者の数に対して直接の、そして信頼できる情報を得ることができない。このような情報は現在、統計上から選ばれる視聴者の小グループの直接の質問によってのみ得られることができるだけであり、その結論が全体の視聴者定数とみなされるだけで、その結論が望ましい信頼性をもっていない。
当該不利を克服するために、テレビ番組を一層面白くするため、視聴者が書くか又は電話によって答えることができる視聴者パズル又は視聴者調査を、番組の中に取り入れる試みがなされている。受け取られた回答を通して、テレビ送信者はそれぞれの番組参加に関して、ある特定の情報を受け取ることができる。
この周知方法の不利な点は、常に繰り返す不変の番組編成の結果として、視聴者が参加するための動機づけ、すなわち番組視聴への誘導のためにはしばしば十分ではない、そして視聴者パズルと視聴者調査がすべてのテレビ番組の型の中に包含されているはずがないということである。
従って本発明は、視聴者が参加するために活性化し、どんな種類の番組でも一層面白くすることができ、そしてテレビ送信者又は会社が視聴者参加に関して情報を得ることができる装置を供給する目的に、基づいている。
本発明によれば、この目的はモニターの一部区域の上に示された画像情報を保存する装置によって達成される。特に、テレビスクリーンについて、本保存装置は感光性材料の保存媒体を含む。保存媒体は、モニター側面に有効に接着される粘着層手段によってモニター表面にしっかり付けられる。
この種類の装置は次のように使われ得る。
特定時において、又は永久に、テレビ会社は特に、黒い背景の上に現れる表示スクリーンの定義された位置においてシンボルを伝達する。視聴者は、表示スクリーン上に表れたシンボルが覆われるように、本発明の装置を、粘着層の手段によって表示スクリーンにしっかり付ける。それによって、表示スクリーン上のシンボルは、本発明の装置に含まれた感光性材料を露出し、それによって示されたシンボルの画像情報が本発明の装置に保存される。本発明の保存装置はテレビスクリーンから取り去られることができて、そして保存された画像情報とともに、例えば、テレビ会社にメッセージを送ることができる。
本発明の保存装置は多様な方法で使われることができ、その少数の例が次にあげられる。
（ａ）テレビ会社は、表示スクリーンの一定の区画において、あるシンボル、例えばその送信者ロゴを、永久に伝達する。視聴者によってテレビスクリーンの適切な点にしっかり付けられる保存装置は、時間又は日々の期間後に送信されたシンボルによって最初に露出され、送信されたシンボルが実際に装置に保存されるように、弱い光感度材料を備えている。
露出した保存装置は、例えば視聴者によって、テレビ会社に送られ、そこで視聴者は番組の抽選などの呼び物に参加することができる。
このようにして、視聴者は、最も長い可能な一定の時期の間提供された番組から、可能な限り、特定の送信者を選ぶ動機をしばしば与えられる。
本発明による装置はこの関係において一種の「忠誠ポイント」として使われることができ、例えば、テレビ会社は抽選に参加する視聴者に対して、露出した保存装置の特定の数の提出を要求することができる。
この原理の望ましい従属効果は、視聴者が１つの放送伝達の間に異なった番組に数回変えることを抑制するであろう。これはスクリーンに付けられた保存装置が当該シンボルを伝達しない他の番組によって誤って露出されるであろうからである。このようにしては視聴者が抽選に参加できないであろう。テレビ会社は、提出された露出した保存装置の数を通して達成可能な視聴定数に関して結論を導くことができる。
（ｂ）（ａ）の方法は、シンボルがもっぱら特定のテレビ連続エピソードの間に送られる方法に変更できる。これによって、視聴者は放送伝達されたエピソードのいずれもミスしない視聴動機を与えられる。テレビ会社は、それによって視聴者が特定な連続エピソードに忠実に視聴するであろう、ある程度の情報を得る。
（ａ）及び（ｂ）の方法において、送信されたシンボルには、特定の番組のために及び又は特定のウイークデーの間、コードを含ませることができる。対応して露出した保存装置をテレビ会社に提出することによって、いずれの番組が見られたか、及び又はいずれのウイークデーに番組が見られたか、が決定できる。
忠誠ポイントをできるだけ多くを集めるという目標を持って、視聴者が送信シンボルの中に「忠誠ポイント」の選択可能な数をまとめることができるようになることも、想像可能である。個々の番組は、それら番組の魅力、又は異なった数の忠誠ポイントの番組持続時間に応じて、評価できるであろう。それで、視聴者の番組選択において低い視聴数の番組を考慮するために、視聴者に動機が提供されるであろう。
上述のポイントシステムは「テレビマイル」という名の番組下で操作されることができるであろう。
（ｃ）例えば、テレビ会社は、放送されるコマーシャルの特定の広告区画の間に１つだけの広告が表示スクリーン中の定義された点にシンボルが伝達されるであろうと、番組雑誌において発表することができる。視聴者は、広告区画内のそのシンボルが見えている広告スポット中に本発明の保存装置を表示スクリーンの上の適切な点に張り付けるように要請される。存装置の光感度は、シンボルが保存されるように、送信されたシンボルが広告スポット間に保存装置を十分に露出するほどの大きさになされる。視聴者は、広告スポット後に保存装置を表示スクリーンから取り去って、そしてテレビ会社にそれを提出し、例えば、再び抽選に参加することができるようになる。
この方法において、一方では、視聴数の上の結論を導くことができ、他方、テレビ会社が、対応する広告区画又はシンボルを持っている広告スポットにおける放送伝達時間を、より高い価格で販売することができるので、ある広告区画が一層魅力的になる。
また、このことは、テレビ会社が視聴数に関して受け取った情報を、放送伝達時間の買い手に申し出て、そして販売することができるようになる。
（ｄ）（ｃ）の方法は、シンボルが全部の広告区画の間にも送信される方法に修正できる。これは、視聴者が、特定の番組を中断して広告区画の間にもう１つの番組に切り替えるのを妨げることを可能にする。これは、視聴者の抽選に参加する動機を終わりまで維持して、広告区画をみる動機を与えられるからである。
（ｅ）クイズ番組の間に、本発明の保存装置が付けられるべき表示スクリーンの上の特定の領域が、テレビ会社によって表わされる。この領域で、例えば、ゆっくりと動いている光の点、又は異なった部分シンボルの連続が時順序で見せられることによって、保存装置は露出される。保存したある保存装置において、ゆっくりと動いた光点によって完成された軌跡トラック、又は部分シンボルの重ね合わせから組み立てられた全体的シンボルが保存され、例えばクイズ番組中に大衆へ出題した問題への解答又は部分的な解答であり得るわけである。ちょうど同じ方法で、保存されたシンボルは例えば視聴者によって選ばれるはずである電話番号の要素であってもよい。
この方法の決定的なことは、本発明の保存装置を使わない視聴者がいつでも見ているスクリーンの上に見いだされるべき全体的なシンボルが見えないということである。なぜなら、常にゆっくりと動いた光点又は部分シンボルだけが示されるからである。従って全体のシンボルの知識を得るために、視聴者は本発明の保存装置を使わなくてはならない。
さらに、この方法で同時にいくつかのシンボルを見いだすことが想像可能であり、そして、いくつかの保存装置が当然同じく表示スクリーンのいくつかの異なったポイントに用いられなくてはならない。
（ｆ）この方法と手段で、クイズ番組を一層面白くすることができ、そして視聴者は積極的に参加する動機を与えられる。例えば、クイル番組で、大衆への３択一問題が提供されるとする。それぞれの可能な答えのために表示スクリーン上の特定領域にマークが付いている。その時、視聴者は、本発明の保存装置を付けるように要求され、彼の意見で、正しい答えに対応するそのマークに保存装置を付ける。ついに、シンボルが正しい答えに対応する領域において一定の短い時間で転写され、この時間のシンボルはそのシンボルの保存をもたらすに十分に保存装置を露出する。
もし視聴者が正しい解答を選んだなら、彼はテレビ会社に彼の露出した保存装置を提出することができ、例えば、再び抽選に参加することができる。
この方法で、クイズ番組を一層刺激的にすることもできて、そして、同時に、（ｅ）の方法のごとく、再び視聴数に関して結論が導くことができる。
上記方法は本発明の装置の使用例を表現するだけであり、役に立つ可能性の全体数は想像可能である。
次に、本発明の装置の望ましい実施例が記述される。
本発明の装置を可能な限り速く経済的に、生産するために、保存装置は、異なった層から本質的に平らに組み立てることが勧められる。例えば、単純な実施例では、粘着層が１つの感光性のフィルムにだけ貼り付けて構成することができる。この薄い構造を通して、保存装置は空間を節約する方法で包装されることができ、それで経費節減になり好ましく配送され販売されることができる。
保存媒体は、特に、柔軟な円形ディスクとして形成されることができるが、どんな他と輪郭、形状でも同じく考え出されることができる。例えば、保存装置に送信者ロゴの形状を与えることが可能である。
フォトクロミック物質が感光性材料に好ましく使われる。フォトクロミック物質は、UV（紫外線）光照射で特定色に採色し、そして可視光で放射線処理される時には、透明になるという特徴がある。
保存手順の前に、フォトクロミック材料は、それによって画像又は可視光を反射するか、又は伝達するシンボルの次の保存を可能にするためにUV光で照射される。UV光照射と保存過程との間において、感光性材料が、可視光で照射されないか、又は取るに足りない時間だけ可視光で照射される注意がとられなくてはならない。この目的のために、保存媒体にはその粘着層からから離れた側面上に光不透過層を設けることができて、そして例えば、ハガキのような光不透過の担体材料の上の粘着層で着脱自在に張り付けることができる。
フォトクロミック層の中で画像の保存が起きる露出時間は、好ましくはおよそ30分である。感光層がそれぞれ異なった波長の可視光に反応するいくつかのフォトクロミック物質から成る時、着色された画像が同じく本発明の保存媒体に保存される。フォトクロミック物質使用の利点は、UV光照射後の感光性材料が単純な方法で再利用されることができることにある。
フォトクロミック物質使用のそれ以上の利点は、解像度を決定している要因がフォトクロミック物質の分子の大きさに過ぎない時から、非常に高い解像度が達せられることができるということにある。
望ましい実施例において、感光層は、粘着層から離れた側面において、特に、感光層に透過する光線を感光層へ戻して反射する銀又は金などの反射層を備えている。この反射層手段は感光性材料の一層集中的な露出及びそれにより短い露出時間を導くことになる。
フォトクロミック物質を使う時、UV光に透過性であって、可視光のみを吸収するように、粘着層から離れた側面にフォトクロミック層、感光層が付けられるように層設計することが必要である。この場合、フォトクロミック層は、粘着層から離れた側面からのUV光照射によって、さらなる保存手順が選択的に可能である状態に設定され得る。
さらに、それの前にカラーフィルターを置くことによって感光性材料の周波数選択性に影響を与えることが可能である。それの前部でグレーのフィルターを置くことによって、感光性材料の上に入射する光の強度を減少できる、それによって感光性材料の感度も減少できる。
粘着層は、特に、装置の使用の前に、引き剥がすことができる保護フィルムによって覆われるのり付きの層として好ましくは製造される。保存装置はこの形態によって困難無く販売され、視聴者は困難無く取り扱いできる。しかしながら、粘着層は、のり付きの層としてだけでなく、例えば、保存装置が静電気作用の手段によって表示スクリーンに取り付けられることも想像される。
本発明のさらなる望ましい実施例においては、保存装置を少なくとも十分に透明にする。この種類の保存装置がポイント（ｅ）の方法で特に効果的に使われることができる。この場合、保存された画像情報がすぐに現像されるように保存装置が形成される限りにおいて、部分的シンボル又は曲がりくねった光点の手段によって示された情報は、表示スクリーンから離れた保存装置の側面において、視聴者のために目に見えるようになる。しかしながら、この例のためには、表示スクリーンに面している側面においてのみ感光層を持つ保存媒体が必要である、なぜなら、さもなければテレビスクリーン開始直後の時折の光の明滅は、保存装置の誤った露出を引き起こすであろう。
もし透明な保存媒体が使われないなら、単純化のために、両側からの光に感応する感光性材料が使われることができ、これは、保存装置が表示スクリーンから離れた側面において光不透過層を備えているからである。いかなる所望文章又はシンボルでも、視聴者に見えるようにこの層にプリントされることができる、そしてそれが保存装置が表示スクリーンに付けられる全時間に視聴者は文章又はシンボルを見る。例えば、送信者ロゴを見せることができる、すなわち、それはこのモニターから遠い保存装置の側面が広告業表面として用いることができることも想像可能であるであろう、特に、これは（ｃ）の方法で考慮され、例えば、ここで、送信されるある会社の広告スポットにおいて、その会社の会社印が保存されるべきシンボルとして保存装置に表される。
さらに、それが定義された光波長のみ、例えば特定の色の光波長にのみ反応するように、保存害対を周波数選択的にすることは可能である。これは保存されるべきシンボルが必ずしも黒い光景に照射される必要がない利点を持っており、シンボルが送信されたテレビ画像に直接現われることができる、すなわち、色が現れないか、又は、小程度しか実際のテレビ画像が現れないようにシンボルの色が選ばれて、保存装置の誤った露出がシンボルの背景を形成しているテレビ画像を通して起きることができないように、することができるからである。
少なくとも１つのプラスチックレンズが表示スクリーンと保存媒体の間に配置できて、そしてフレネルレンズとして好ましくは形成される。この種類のレンズは本発明の保存装置の層状組立体において困難無く包含され得る。
レンズは、例えば、表示スクリーンにくっきり表れていないシンボルの焦点を合わせるのに役立ち、レンズが保存媒体上に像をくっきりと作る。
さらに、レンズは、表示スクリーン上にて符号化された形態で現れたシンボルの画像情報を復号する復号レンズとして形成されることが可能である。この種類のレンズがポイント（ｅ）の方法で好ましくは使われることができ、すなわち、部分的シンボル又は曲がりくねった光点の形式で保存されるシンボルを、示すことをなしで済ませることができるからである。
本発明の保存装置は、保存された画像情報を目視せしめる現像装置を、保存装置の中に包含させることができる、すなわち、保存された画像情報が、現像層によって続いて現像されることができ、又は保存装置に接触された流動性の現像液によって現像されるようにすることができる。
本発明のさらなる望ましい実施例において、保存媒体は、画像認識チップを有することができ、その手段によって、光学画像情報が電子信号に変換可能となり、電子信号が画像認識チップの中に統合された電子メモリーに保存自在となる。画像認識チップとして、例えば、ビデオカメラで使われる撮像素子に類似している構成要素を使うことができる。
さらに保存された電子データに応じて特定の音響信号を生み出す音響出力ユニットを、保存媒体に備えることも想像可能である。この信号は、例えば、視聴者からテレビ会社まで電話によって伝達されることができる。この方法で、送信者は、正しい画像情報が視聴者の注意している画像認識チップに保存されるかどうか調べることができる。この場合、視聴者は露出した保存媒体を送信者に送らなくてもよい、むしろ電話によって対応する情報を伝達することができる。画像認識チップ使用のさらなる利点は、保存されたデータを消去できることにあり、再び、保存装置が複数回使用できる。
本発明の保存装置が視聴者による購入による場合、保存装置が、特にハガキ形式の、紙、カード、又はラミネートされたカードの担体材料上に載置されているので、特に有利である。この方法で、保存装置は特に都合が良い方法、特に、ハガキのような担体材料で販売ができる、そして、保存装置の露出後に、視聴者は再び露出した保存装置を得て、そしてテレビ会社にそれを送り返すことができるように利用できる。
さらに、保存装置がその粘着層の着脱自在手段によってハガキのような担体材料に付けられる場合、有利である。この場合、粘着層上を覆う保護薄膜の準備は、済まされることができる。露出の後に保存装置の粘着層は、保存媒体をハガキのような担体材料にしっかり付けるように使われる。
担体材料の上に１以上の保存装置を配置することは直接可能である。
担体材料は好ましくは少なくとも１つの現像区域を持っており、この中では化学物質が保存媒体の上に保存した画像を現像するために包含されており、担体材料上に保存媒体は、露出後、特に保存媒体が粘着層の手段によって、付加されることができる。この場合、露出保存装置が再びハガキ状担体材料に付けられた直接後に、保存画像情報の現像は行われ、それによって視聴者又はテレビ会社によってなされるべき画像情報の特別な現像を避けることができる。
担体材料は特に折り畳み自在の紙又はカードについて形成できる。それ故に、対応する担体材料と一緒に折り畳めるので、担体材料によって両側上に保存装置を覆うことができ、保存装置の露出をその前側面又は後側面を解して不可能とする。これは、粘着層から離れた側面において可視光を通さない層によって守られないフォトクロミック物質が感光性材料として用いられる時、特に有利である。
子供たちに適したクイズ番組又は探偵番組の魅力は、例えば、特定の問題への答えを又は探偵小説の解決に関連している情報を特定の表示スクリーンの特定な点において符号化された形態で描くことによって、増加させることができる、この情報が復号レンズ手段によってのみ視聴者に見せるだけである。この種類の復号レンズを粘着層の手段によって表示スクリーンに付けることができ、または、それは表示スクリーンの前で拡大鏡に似ているフレームで保持され、特に後者は特に子供たちに適している。このように得られた情報の結果、特定の電話番号が例えば視聴者によって選ばれることができる、又は特定の単語解決がテレビ会社に提出されることができる。
本発明のさらなる有利な実施例が従属適なクレームで記載されている。
本発明の望ましい実施例が図面を参照しつつ記述されるであろう。
図１は本発明の保存装置で表示スクリーンの平面図である。
図２は図１に比して拡大されている図１の本発明の保存装置の断面Ａ−Ａを通して拡大された断面図である。
図３は本発明の保存装置のために担体材料の概略平面図である。
図１は概略形式でモニターすなわちテレビ画面１の正面図を示す。表示スクリーンの上左角の上にて、円形のディスクのような本発明の保存装置が光沢がないスクリーンに直接付加され、表示スクリーンのテレビ画像領域上を覆っている。
図２はその、表示スクリーンへ貼着する前の図１の保存装置の断面Ａ−Ａを通して拡大された断面図を示す。
保存装置２は層状に積層され、表示画面側面において作用する粘着層４は保護フィルム５によって保存装置２の使用前に上には覆われている。保護フィルムは矢印方向で粘着層４から保存装置のユーザーによって剥がされる。そして保護フィルム５の撤去の後に、保存装置２は粘着層４によって表示スクリーンに当接、貼着される。
焦点を合わせている焦点レンズ７が粘着層４に隣接する。焦点レンズは、テレビ画像が感光層３にくっきりと像を作られるように、光沢がないスクリーン上にくっきりと像が表れていないテレビ画像の焦点を感光層３に合わせる。復号レンズとして作用する層10は感光層３と焦点レンズ層７の間に位置している、この層の手段によって、表示スクリーンの上に現れた符号化された情報は、感光層３に復号された形態で像を作られる。
現像層６が感光層３に隣接し、この手段によってその露出の後に感光層３は直接現像されることができる。
すべての層は、表示スクリーンからの保存装置の剥離又は除去できる柔軟なフレキシブル材料から好ましく作られる。
本発明の実現のために、図２に示されたすべての層を有することは必要ではない。感光層３又は復号レンズ層10が不可欠なだけであり、この層は例えば同じく静電作用の手段によって粘着層４無しで表示スクリーンに設置することができる。
図３は本発明によれる２つの保存装置2a及び2bのための担体材料８を示す。担体材料８は例えばカードからなり、そしてハガキ形式を有している。この形式で、本発明の保存装置は、一方では、それが販売用担体材料として用いられることができ、そして、他方、露出後、保存装置を返送するために担体材料として用いられることができるので、特に有利な方法で販売することができる。
保存装置2a及び2bの使用前に、これらは担体材料８の特定の領域の上に着脱自在に配置される。この領域に隣接して、現像材料が包含されているさらなる領域9a及び9bが設けられており、この手段によって保存装置2a及び2bは露出後に現像される。それらの現像の後に、保存装置2a及び2bは領域9a及び9bの上に残り、保存装置はともにテレビ会社に担体材料８でハガキとして提出され得る。１つ又は複数の保存装置が担体材料８で販売され得る。担体材料８の上に配置された保存装置の数に従って、同数の現像領域9a及び9bが担体材料８の上に供給される。
保存された画像情報を現像するための化学物質は、保存装置中に包含されるべきで、それにより、担体材料８の上の現像領域9a及び9bが一緒に調剤、形成できるようになる。
テレビ会社の宛先は担体材料８の何も書いていない背面側面に好ましく印刷される。
本発明の装置は同じくコンピューターモニターでも使用できる。
【図１】
0003564609.tif 000002
【図２】
0003564609.tif 000003
【図３】
0003564609.tif 000004